(57)【要約】【課題】  食品を収容する際に、フィルム壁の側端縁同士を溶着した部分が大きく裂けてしまうことを防止して、食品の包装作業の効率を高めることのできる食品用包装袋を提供することを課題とする。【解決手段】  互いに対向する一対のフィルム壁を備え、該一対のフィルム壁は、幅方向の両側端縁同士が接続されるとともに、幅方向と直交する縦方向の一方の端部同士が直接的又は間接的に接続され、少なくとも何れか一方の側端縁同士が線状の溶着線を形成するように溶着することで接続され、縦方向の他方の端縁側からフィルム壁間に食品を収容可能に構成された食品包装袋において、一対のフィルム壁のうちの少なくとも何れか一方は、他方の端縁側に前記溶着線を始点にしたエッジ部が形成され、該エッジ部は、溶着線上の始点から前記一方の端縁側に向けて延びる誘導エッジ部を備えていることを特徴とする。【選択図】図１
2010254328.tif 000002
【特許請求の範囲】
【請求項１】
互いに対向する一対のフィルム壁を備え、該一対のフィルム壁は、幅方向の両側端縁同士が接続されるとともに、幅方向と直交する縦方向の一方の端部同士が直接的又は間接的に接続され、少なくとも何れか一方の側端縁同士が線状の溶着線を形成するように溶着することで接続され、縦方向の他方の端縁側からフィルム壁間に食品を収容可能に構成された食品包装袋において、一対のフィルム壁のうちの少なくとも何れか一方は、溶着線上に始点のあるエッジ部が他方の端縁側に形成され、該エッジ部は、溶着線上の始点から一方の端縁側に向けて延びる誘導エッジ部を備えていることを特徴とする食品用包装袋。
【請求項２】
少なくとも何れか一方のフィルム壁は、縦方向の他方の端縁側に前記溶着線上を始点にして縦方向の一方の端縁側に凸をなす円弧状の切り込みが設けられ、前記エッジ部は、前記切り込みによってフィルム壁に形成される端縁で構成されている請求項１記載の食品用包装袋。
【請求項３】
少なくとも何れか一方のフィルム壁は、縦方向の他方の端縁側に前記溶着線に接近するように円形状の穴が設けられ、前記エッジ部は、前記穴を画定する内周縁で構成されていている請求項１記載の食品用包装袋。
【請求項４】
一方のフィルム壁は、他方の端縁が他方のフィルム壁の他方の端縁から外側に延出するように形成され、他方のフィルム壁は、他方の端縁が波形状又は鋸刃状に形成され、前記エッジ部は、他方のフィルム壁の他方の端縁で構成されている請求項１に記載の食品用包装袋。
【発明の詳細な説明】
【技術分野】
【０００１】
本発明は、パン類、乾物類、菓子類等の各種食品を包装するための食品用包装袋に関する。
【背景技術】
【０００２】
従来から、食品を包装するためのフィルム製の食品用包装袋には、種々形態のものがあり、その一つとして、図９に示す如く、重ね合わされた一対のフィルム壁２’，３’の幅方向の両側端縁同士が溶着（接続）され、食品を包装するときに両フィルム壁２’，３’を互いに離間させて該フィルム壁２’，３’間に食品を収容するスペースを形成するようにしたものが知られている。
【０００３】
この種の食品用包装袋１’は、製袋時にフィルムをヒートシールしたり所定サイズに溶断したりすることで、一対のフィルム壁２’，３’の幅方向の両側端縁同士が線状に溶着（接続）されている。これにより、該食品用包装袋１’は、フィルム壁２’，３’の側端縁同士の溶着で、フィルム壁２’，３’の側端縁に沿った線状の溶着線ＷＬが形成されている。
【０００４】
そして、この種の食品用包装袋１’には、一対のフィルム壁２’，３’の幅方向と直交する縦方向（溶着線ＷＬの延びる方向）にある一方の端部同士が直接溶着されたものや、図９に示すようにガゼット６’を介して一対のフィルム壁２’，３’の一方の端部同士が間接的に接続されたものがあるが、何れも、図１０に示す如く、フィルム壁２’，３’の他方の端縁側から該フィルム壁２’，３’間（スペース内）に食品Ｂを収容できるようになっている。
【０００５】
そして、上記構成の食品用包装袋１’は、一対のフィルム壁２’，３’間に食品Ｂを収容した後、一対のフィルム壁２’，３’の他方の端縁側をテープやクリップ等の結束手段で結束したり、テープやシールを貼り付けたりして他方の端縁側に形成された開口を閉じることで、食品Ｂを包装できるようになっている。
【発明の概要】
【発明が解決しようとする課題】
【０００６】
しかしなから、上記構成の食品用包装袋１’は、フィルム壁２’，３’の側端縁同士が線状に溶着されているため、食品（例えば、食パン等の嵩高い食品）Ｂを収容（包装）するときに、図１１に示す如く、一対のフィルム壁２’，３’の側端縁同士を溶着した部分が溶着線ＷＬに沿って裂けてしまう場合がある。
【０００７】
具体的に説明すると、上記構成の食品用包装袋１’は、フィルム壁２’，３’の側端縁といった極めて狭い領域同士を縦方向の全長に亘って溶着させているため、フィルム壁２’，３’の溶着部分（溶着線ＷＬ）の縦方向の始点が食品Ｂを収容する開口（縦方向の他方の端縁）側にあり、また、フィルム壁２’，３’の側端縁同士の接続強度（溶着線ＷＬでの強度）が周辺の強度（フィルム壁２’，３’自体の強度）よりも弱くなっている。
【０００８】
そのため、食品Ｂを収容すべく一対のフィルム壁２’，３’の他方の端縁側を互いに離間させると、それによって生じる引っ張り力がフィルム壁２’，３’の溶着部分（溶着線ＷＬ）における縦方向の他方の端縁側にある始点に集中的に作用し、その始点を起点にして食品用包装袋１’が溶着線ＷＬに沿って大きく裂けてしまうことがあった。
【０００９】
そのため、食品用包装袋１’が溶着線ＷＬで裂けるといった事態が発生するのを避けるべく、上記構成の食品用包装袋１’で食品Ｂを包装する際に、食品Ｂを収容する作業をゆっくり丁寧に行うことになる結果、食品Ｂの包装作業を迅速に且つ効率的に行うことができないといった問題があった。
【００１０】
そこで、本発明は、斯かる実情に鑑み、食品を収容する際に、フィルム壁の側端縁同士を溶着した部分が大きく裂けてしまうことを防止して、食品の包装作業の効率を高めることのできる食品用包装袋を提供することを課題とする。
【課題を解決するための手段】
【００１１】
本発明に係る食品用包装袋は、互いに対向する一対のフィルム壁を備え、該一対のフィルム壁は、幅方向の両側端縁同士が接続されるとともに、幅方向と直交する縦方向の一方の端部同士が直接的又は間接的に接続され、少なくとも何れか一方の側端縁同士が線状の溶着線を形成するように溶着することで接続され、縦方向の他方の端縁側からフィルム壁間に食品を収容可能に構成された食品包装袋において、一対のフィルム壁のうちの少なくとも何れか一方は、溶着線上に始点のあるエッジ部が他方の端縁側に形成され、該エッジ部は、溶着線上の始点から一方の端縁側に向けて延びる誘導エッジ部を備えていることを特徴とする。なお、ここで「エッジ」とは、フィルム壁（フィルム）を部分的に切断したり裁断したりすることで形成される縁を意味する。すなわち、「エッジ」とは、フィルム壁部の実体のある部分を画定し、その実体のある部分と実体のない部分とを区画する境界を意味する。
【００１２】
上記構成の食品用包装袋によれば、一対のフィルム壁のうちの少なくとも何れか一方は、溶着線上に始点のあるエッジ部が他方の端縁側に形成され、該エッジ部は、溶着線上の始点から一方の端縁側に向けて延びる誘導エッジ部を備えているため、食品を収容するのに一対のフィルム壁の他方の端縁同士を互いに離間させようとしたとき（食品を収容する入口を拡げようとしたとき）に生じる力が誘導エッジ部に沿って作用することになる。すなわち、一対のフィルム壁を離間させることによる引っ張り力が誘導エッジ部に沿うように誘導されることになる。これにより、上記構成の食品用包装袋は、一対のフィルム壁を離間させることによる引っ張り力を分散させることができ、食品を収容する際に溶着線に沿って裂けてしまうことが防止される。従って、食品を収容する際に食品用包装袋が大きく裂けてしまうことを気にする必要がなくなるため、食品の包装作業の効率を高めることができる。
【００１３】
本発明の一態様として、少なくとも何れか一方のフィルム壁は、縦方向の他方の端縁側に前記溶着線上を始点にして縦方向の一方の端縁側に凸をなす円弧状の切り込みが設けられ、前記エッジ部は、前記切り込みによってフィルム壁に形成される端縁で構成されてもよい。このようにすれば、円弧状の切り込みに沿って形成されるエッジ部の始点側が溶着線上の始点から一方の端縁側に向けて延びる誘導エッジ部になるため、簡単な構成であるにも拘わらず、食品を収容する際に溶着線に沿って大きく裂けてしまうことを防止することができる。これにより、食品を収容する際に食品用包装袋が裂けてしまうことを気にすることなく、食品を収容することができ、食品の包装作業の効率を高めることができる。
【００１４】
なお、このようにフィルム壁に切り込みを設けてエッジ部を形成すると、エッジ部がフィルム壁の他方の端縁側にある溶着線の始点よりも一方の端縁側に位置することになるため、食品を収容する際にフィルム壁の他方の端縁側にある溶着線の始点からエッジ部までの間で食品用包装袋が溶着線に沿って裂けてしまうことがあるが、食品用包装袋がエッジ部を超えて裂けてしまうことがないため、エッジ部をできる限りフィルム壁の他方の端縁寄りに設けることで、食品用包装袋が裂ける範囲を、食品を収容するのに何ら影響ない最小限の範囲に抑えることができる。
【００１５】
本発明の他態様として、少なくとも何れか一方のフィルム壁は、縦方向の他方の端縁側に前記溶着線に接近するように円形状の穴が設けられ、前記エッジ部は、前記穴を画定する内周縁で構成されていてもよい。このようにすれば、円形状の穴の内周に沿って形成されるエッジ部の始点側が溶着線上の始点から一方の端縁側に向けて延びる誘導エッジ部になるため、簡単な構成であるにも拘わらず、食品を収容する際に溶着線に沿って大きく裂けてしまうことを防止することができる。これにより、食品を収容する際に食品用包装袋が裂けてしまうことを気にすることなく、食品を収容することができ、食品の包装作業の効率を高めることができる。
【００１６】
なお、このようにフィルム壁に穴を設けてエッジ部を形成すると、エッジ部がフィルム壁の他方の端縁側にある溶着線の始点よりも一方の端縁側に位置することになるため、食品を収容する際にフィルム壁の他方の端縁側にある溶着線の始点からエッジ部までの間で食品用包装袋が溶着線に沿って裂けてしまうことがあるが、食品用包装袋がエッジ部を超えて裂けてしまうことがないため、この場合においても、エッジ部をできる限りフィルム壁の他方の端縁寄りに設けることで、食品用包装袋が裂ける範囲を、食品を収容するのに何ら影響ない最小限の範囲に抑えることができる。
【００１７】
また、本発明の別の態様として、一方のフィルム壁は、他方の端縁が他方のフィルム壁の他方の端縁から外側に延出するように形成され、他方のフィルム壁は、他方の端縁が波形状又は鋸刃状に形成され、前記エッジ部は、他方のフィルム壁の他方の端縁で構成されてもよい。このようにすれば、他方のフィルム壁の他方の端縁の両端部が溶着線上の始点から一方の端縁側に向けて延びる誘導エッジ部になるため、簡単な構成であるにも拘わらず、食品を収容する際に溶着線に沿って裂けてしまうことを防止することができる。
【発明の効果】
【００１８】
以上のように、本発明の食品用包装袋によれば、食品を収容する際に、フィルム壁の側端縁同士を溶着した部分が大きく裂けてしまうことを防止して、食品の包装作業の効率を高めることができるという優れた効果を奏し得る。
【図面の簡単な説明】
【００１９】
【図１】本発明の一実施形態に係る食品用包装袋の説明図であって、（ａ）は、平面図を示し、（ｂ）は、縦断面図を示す。
【図２】同実施形態に係る食品用包装袋の断面図であって、一対のフィルム壁を互いに離間させた状態（食品（食パン）を収容する途中の状態及び食品（食パン）を収容した状態）の縦断面図を示す。
【図３】同実施形態に係る食品用包装袋の製造工程を説明するための概略斜視図を示す。
【図４】同実施形態に係る食品用包装袋で食品（食パン）を包装した状態の斜視図を示す。
【図５】本発明の他実施形態に係る食品用包装袋の説明図であって、（ａ）は、平面図を示し、（ｂ）は、縦断面図を示す。
【図６】図５に示す食品用包装袋の一対のフィルム壁を互いに離間させた状態（食品（食パン）を収容する途中の状態及び食品（食パン）を収容した状態）の縦断面図を示す。
【図７】本発明の別の実施形態に係る食品用包装袋の平面図であって、（ａ）は、エッジ部を鋸刃状に形成した食品用包装袋の平面図を示し、（ｂ）は、エッジ部を幅方向におけるピッチ数の多い波型形状に形成した食品用包装袋の平面図を示し、（ｃ）は、エッジ部を幅方向におけるピッチ数の少ない波型形状に形成した食品用包装袋の平面図を示す。
【図８】本発明のさらに別の実施形態に係る食品用包装袋の平面図であって、（ａ）は、エッジ部を切り込みによって形成される端縁で構成した食品用包装袋の平面図を示し、（ｂ）は、エッジ部を穴を画定する内周縁で構成した食品用包装袋の平面図を示す。
【図９】従来の食品用包装袋を説明するための説明図であって、（ａ）は、従来の食品用包装袋の平面図を示し、（ｂ）は、従来の食品用包装袋の縦断面図を示す。
【図１０】従来の食品用包装袋を説明するための説明図であって、（ａ）は、食品を収容する状態の平面図を示し、（ｂ）は、食品を収容する状態の側面図を示す。
【図１１】従来の食品用包装袋の問題点を説明するための説明図であって、食品用包装袋が溶着線に沿って裂けた状態の側面図を示す。
【発明を実施するための形態】
【００２０】
以下、本発明の一実施形態に係る食品用包装袋について、添付図面を参照しつつ説明する。
【００２１】
本実施形態に係る食品用包装袋は、図１及び図２に示す如く、互いに対向する一対のフィルム壁２，３を備えている。一対のフィルム壁２，３は、それぞれ正面視矩形状に形成されており、幅方向の両側端縁同士が一致し、且つ幅方向と直交する縦方向の一方の端縁同士が一致するように重ね合わされた状態で配置されている。本実施形態に係る食品用包装袋１は、一方のフィルム壁２の縦方向の長さが他方のフィルム壁３の縦方向の長さよりも長く設定されている。これより、本実施形態に係る食品用包装袋１は、一方のフィルム壁２の縦方向における他方の端部が他方のフィルム壁３の縦方向の他方の端縁から外側に延出した状態になっている。
【００２２】
そして、一方のフィルム壁２の他方の端部には、食品Ｂを包装する際に当該食品用包装袋１を吊り下げておくための穴４（別途用意されたフックやバーを挿通させるための穴４）が設けられている。なお、この穴４は、少なくとも一つ設けられればよいが、本実施形態においては、幅方向に間隔をあけて複数（図においては二つ）設けられている。
【００２３】
本実施形態に係る一方のフィルム壁２の他方の端部には、該フィルム壁２の他方の端縁と穴４を画定する内周縁との間で縦方向に延びる切断補助線５（例えば、ミシン目やハーフカット）が設けられている。これにより、フック等に吊り下げた食品用包装袋１を引っ張ると、切断補助線５でフィルム壁２の他方の端部が部分的に切断し、食品用包装袋１をフック等から簡単に取り外せることができるようになっている。
【００２４】
前記一対のフィルム壁２，３は、互いの両側端縁同士が接続されており、少なくとも一方の側端縁同士が線状の溶着線ＷＬを形成して接続される。本実施形態に係る食品用包装袋１は、一対のフィルム壁２，３の両側端縁同士が線状に溶着されており、前記溶着線ＷＬが両側端縁に形成されている。
【００２５】
このフィルム壁２の側端縁同士の溶着は、一対のフィルム壁２，３（フィルム）を重ね合わせた状態で、両フィルム壁２，３の側端縁同士をヒートシールバー等で溶着することもできるが、フィルムを切断して両フィルム壁２，３を形成するに当り、重ね合わせ状態にあるフィルム（例えば、二枚のフィルムや、一枚のフィルムを折り返すことで重なりある部分）を一緒に溶断すること、重ね合わさったフィルムの側端縁（端縁）同士を溶着させることによっても行うことができる。なお、本実施形態に係る食品用包装袋１は、後述する製袋過程でフィルム壁２となるフィルムを溶断することで、該フィルムを切断して一対のフィルム壁２，３にするのに併せて該一対のフィルム壁２，３の両側端縁同士を線状に溶着するようにしている。
【００２６】
そして、一対のフィルム壁２，３のうちの少なくとも何れか一方は、溶着線ＷＬ上に始点のあるエッジ部７が縦方向の他方の端縁側に形成されている。エッジ部７は、フィルムから製袋する際に該フィルムに切断加工を行うことで形成されるもので、溶着線ＷＬ上の始点から縦方向の一方の端縁側に向けて延びる誘導エッジ部８を備えている。
【００２７】
本実施形態に係る食品用包装袋１は、一対のフィルム壁２，３のそれぞれに対してエッジ部７が形成されている。具体的に説明すると、一対のフィルム壁２，３は、他方の端縁側に前記溶着線ＷＬ上を始点にして縦方向の一方の端縁側に凸をなす円弧状の切り込みＳが設けられている。すなわち、一対のフィルム２，３は、食パンを包み込む縦方向の一端側の領域から外れた縦方向の他端側の位置に前記切り込みＳが設けられている。
【００２８】
前記エッジ部７は、前記切り込みＳによってフィルム壁２，３に形成される端縁で構成されて構成されている。そのため、本実施形態に係るエッジ部７は、切り込みＳに対応して縦方向の一方の端縁側に凸をなす円弧状に形成されている。なお、本実施形態においては、上述の如く、フィルム壁２，３の実体の在る部分に切り込みＳ，Ｓを設けてエッジ部７，７を形成するため、切り込みＳ，Ｓ（エッジ部７，７）は、可能な限り縦方向の他方の端縁に近づけて形成される。
【００２９】
両フィルム壁２，３に形成されるエッジ部７，７は、溶着線ＷＬ上で始点が一致するように設けられている。なお、本実施形態に係る食品用包装袋１は、一対のフィルム壁２，３のそれぞれにエッジ部７，７を形成するために各フィルム壁２，３に形成された切り込みＳ，Ｓが連続しており、溶着線ＷＬ上を通る切り込みＳ，Ｓ（エッジ部７）同士の接続部分）がフィルム壁２の他方の端縁側に凸をなす小さな円弧状をなすように形成されている。
【００３０】
このように本実施形態に係る食品用包装袋１は、円弧状の切り込みＳでエッジ部７を形成するようにしているため、エッジ部７の始点側（溶着線ＷＬ側）が溶着線ＷＬ上の始点から前記一方の端縁側に向けて延びる誘導エッジ部８を構成している。
【００３１】
そして、この種の食品用包装袋１は、縦方向の一方の端部同士が直接的又は間接的に接続されている。本実施形態に係る食品用包装袋１は、重ね合わせた複数枚の食パンＢを収容することを対象としており、一対のフィルム壁２，３に加え、両フィルム壁２，３の縦方向の一方の端部同士を接続するガゼット部６をさらに備えている。これにより、本実施形態に係る食品用包装袋１は、一対のフィルム壁２，３の一方の端部同士がガゼット部６を介して間接的に接続されている。
【００３２】
前記ガゼット部６は、二つ折り状態でフィルム壁２間に折り込まれた状態をなしており、その一方の端縁が一方のフィルム壁２の一方の端縁に接続されるとともに、その他方の端縁が他方のフィルム壁３の一方の端縁に接続されている。そして、ガゼット部６は、二つ折りによって形成される稜線がフィルム壁２間に位置するように、全体がフィルム壁２間に位置している。すなわち、ガゼット部６は、基端が一方のフィルム壁２の一方の端縁に接続され、先端側がフィルム壁２間に延びる第一延出部６ａと、基端が他方のフィルム壁３の一方の端縁に接続され、先端側がフィルム壁２間に延びて該先端が第一延出部６ａの先端に接続された第二延出部６ｂとで構成されている。
【００３３】
そして、本実施形態に係る食品用包装袋１は、ガゼット部６の両側端縁が一対のフィルム壁２，３の両側端縁に溶着されている。すなわち、本実施形態に係る食品用包装袋１は、第一延出部６ａ及び第二延出部６ｂの両側端縁（フィルム壁２，３の一方の端縁から延出する方向と直交する方向の両端）が、一対のフィルム壁２，３の両側端縁に一体的に溶着されている。
【００３４】
そして、本実施形態に係る食品用包装袋１は、他方の端縁側からフィルム壁２間に食品を収容可能に構成されている。すなわち、本実施形態に係る食品用包装袋１は、一対のフィルム壁２，３の縦方向の他方の端部同士が非接続状態になっており、これによって形成される開口（他方の端部開口）から食品を収容できるようになっている。また、上述の如く、本実施形態に係る食品用包装袋１は、ガゼット部６を備えているため、嵩高い食パンＢを収容したときにガゼット６が拡がることになり、柔らかい食パンＢがフィルム壁２，３に挟み込まれた状態になることが防止されている。
【００３５】
本実施形態に係る食品用包装袋１は、以上の構成からなり、次に、図３を参照しつつ上記構成の食品用包装袋１の製袋方法について説明することとする。
【００３６】
まず、一方向で長手をなす長尺フィルムＦを長手方向に送りつつ、該長尺フィルムＦを長手方向と直交する方向に二つ折りにする。そして、その二つ折りによって形成される稜線から所定距離あけた位置（第一延出部６ａ及び第二延出部６ｂの延出量と対応した距離をあけた位置）で前記稜線と同方向に延びる別の稜線を形成するように、二つ折りによって形成された前記稜線の両側で長尺フィルムＦを折り返す。すなわち、二つ折りにした長尺フィルムＦの短手方向の両側を外側に折り返す。
【００３７】
本実施形態においては、一方のフィルム壁２の他方の端部が他方のフィルム壁３の他方の端縁から延出した状態にする必要があるため、長手方向と直交する短手方向の一方の端縁に対して他方の端縁がずれるように（一方の端縁から他方の端部が延出した状態になるように）、長尺フィルムＦの短手方向の両側が折り返される。なお、本実施形態においては、上述の如く、ガゼット部６の第一延出部６ａと第二延出部６ｂとの接続部分となる稜線を形成するように長尺フィルムＦを二つ折りした後に、その両側を外側に折り返すようにしているため、長尺フィルムＦを二つ折りにする際の折り曲げ位置（稜線の形成位置）が、外側に折り返した長尺フィルムＦの短手方向の両端がずれた配置になるように設定されている。
【００３８】
これにより、一対のフィルム壁２，３となる部分（重ね合わせ状態になったフィルム部分）Ｆ１，Ｆ２と、ガゼット部６となる部分（重ね合わせ状態になったフィルム部分Ｆ１，Ｆ２間で二つ折り状態になった部分）Ｆ３とが長手方向に連続して形成された状態になる。
【００３９】
その後、上述の如く折り曲げ加工された長尺フィルムＦを長手方向で所定間隔おきに溶断する。すなわち、食品用包装袋１の幅方向の長さに対応する間隔毎に設定された溶断予定位置ＷＰで長尺フィルムＦを溶断することで、重ね合わせ状態になっていたフィルム部分Ｆ１，Ｆ１は、両側端縁同士が線状の溶着線ＷＬを形成して接続された一対のフィルム壁２，３になり、重ね合わせ状態になっていたフィルム部分Ｆ１，Ｆ２間で二つ折り状態になっていた部分Ｆ３がガゼット部６になる。
【００４０】
そして、両フィルム壁２，３（又は、長尺フィルムＦのフィルム壁２，３になる部分Ｆ１，Ｆ２）の両側端部に円弧状の切り込みＳを入れ、また、一方のフィルム壁２（又は、長尺フィルムＦのフィルム壁２になる部分Ｆ１）の他方の端部に穴４をあけるとともに切断補助線５を形成する。なお、切り込みＳ、穴４、切断補助線５は、長尺フィルムＦを溶断する前の加工で設けてもよいし、長尺フィルムＦを溶断した後の加工で設けるようにしてもよい。
【００４１】
このような一連の工程を連続的に行うことにより、長尺フィルムＦから上記形態の食品用包装袋１を順々に作製することができる。
【００４２】
そして、図２に示す如く、上記構成の食品用包装袋１に食パンＢを収容する際、一対のフィルム壁２，３の他方の端縁側（開口）から食パンＢが入れられる。この際、一対のフィルム壁２，３の他方の端部は、食パンＢの進入に伴って互いに離間することになる。
【００４３】
本実施形態に係る食品用包装袋１は、フィルム壁２，３に切り込みＳ，Ｓを設けてエッジ部７，７を形成しているため、エッジ部７，７がフィルム壁２，３の他方の端縁側にある溶着線ＷＬの始点よりも一方の端縁側に位置することになることから、食品Ｂを収容する際（上述の如く、フィルム壁２，３を離間させる際）に、溶着線ＷＬの始点にフィルム壁２，３を離間させることによる引っ張り力が集中的に作用し、これに伴ってフィルム壁２，３の他方の端縁側にある溶着線ＷＬの始点からエッジ部７，７までのごく僅かな距離で溶着線ＷＫに沿って裂けてしまうことがある。
【００４４】
しかしながら、本実施形態に係る食品用包装袋１は、エッジ部７，７まで裂けると、フィルム壁２，３の離間に伴って作用する力Ｆが誘導エッジ部８に沿って作用することになる。すなわち、一対のフィルム壁２，３を離間させることによる引っ張り力Ｆが誘導エッジ部８に沿うように誘導されて分散されることになる。これにより、食パンＢを収容する際に食品用包装袋１が溶着線ＷＬに沿って大きく裂けてしまうことなく、食パンＢがフィルム壁２間に収容されることになる。
【００４５】
そして、図４に示す如く、一対のフィルム壁２，３の他方の端縁側をテープやクリップ等の結束手段Ｃで結束して他方の端縁開口を閉じることで食パンＢの包装が完了する。
【００４６】
以上のように、本実施形態に係る食品用包装袋１は、一対のフィルム壁２，３の食パンＢを収容する入口側（他方の端縁側）に、側端縁同士を溶着した線状の溶着線ＷＬを始点にしたエッジ部７が形成され、該エッジ部７は、溶着線ＷＬから反対側の側端縁に向かうに連れて前記一方の端縁側に延びる誘導エッジ部８を備えているため、食パンＢを収容する際に一対のフィルム壁２，３の他方の端縁を互いに離間させようとしたときの引っ張り力が誘導エッジ部８に沿うように誘導されることになり、一対のフィルム壁を離間させることによる引っ張り力を分散させることができる。これにより、本実施形態に係る食品用包装袋１は、食パンＢを収容する際に溶着線ＷＬに沿って大きく裂けてしまうことを防止することができる。従って、食パンＢを収容する際に食品用包装袋１が大きく裂けてしまうことを気にする必要がなくなるため、食パンＢの包装作業の効率を高めることができる。
【００４７】
また、本実施形態において、前記エッジ部７は、一対のフィルム壁２，３のそれぞれに対して入れられた一方の端縁側に凸をなす円弧状の切り込みＳによって形成されているため、円弧状の切り込みＳに沿って形成されるエッジ部７の始点側が溶着線ＷＬから反対側の側端縁に向かうに連れて前記一方の端縁側に延びる誘導エッジ部８になり、食パンＢを収容する際に溶着線ＷＬに沿って裂けてしまうことを防止することができる。また、製袋を行うに際し、両フィルム壁２，３に対して円弧状の切り込みＳを入れるといった簡単な加工を行うだけで、上記作用及び効果を奏するものを製造することができる。
【００４８】
なお、本発明に係る食品用包装袋は、上記実施形態に限定されるものではなく、本発明の要旨を逸脱しない範囲内において種々変更を加え得ることは勿論である。
【００４９】
上記実施形態において、収容（包装）の対象として食パンＢを一例にして説明したが、これに限定されるものではなく、包装の対象となる食品Ｂは、菓子パンや惣菜パン等のパン類、乾物類、菓子類等の種々のものであってもよい。
【００５０】
上記実施形態において、エッジ部７を溶着線ＷＬの両側（一対のフィルム壁２，３のそれぞれ）に形成するようにしたが、これに限定されるものではなく、例えば、エッジ部７を溶着線ＷＬの片側（何れか一方のフィルム壁２）に形成するようにしてもよい。このようにしてもエッジ部７の誘導エッジ部８で食品Ｂの挿入時に生じる引っ張り力を分散させることができ、食品Ｂを収容する際に溶着線ＷＬに沿って大きく裂けてしまうことを防止することができる。但し、引っ張り力を確実に分散させるには、上記実施形態と同様に溶着線ＷＬの両側にエッジ部７を形成することが好ましい。
【００５１】
また、上記実施形態において、一対のフィルム壁２，３のそれぞれに対して入れられた一方の端縁側に凸をなす円弧状の切り込みＳによってエッジ部７を形成するようにしたが、これに限定されるものではなく、例えば、Ｖ字状の切り込みによってエッジ部７を形成するようにしてもよい。このようにしても、エッジ部の始点側が溶着線ＷＬから反対側の側端縁に向かうに連れて前記一方の端縁側に延びる誘導エッジ部８になるため、食品Ｂを収容する際に溶着線ＷＬに沿って裂けてしまうことを防止することができる。
【００５２】
また、エッジ部７は、図５に示す如く、一対のフィルム壁２，３のそれぞれに対して設けられた円形状の穴Ｈを画定する内周縁で構成されていてもよい。このようにすれば、円形状の穴Ｈの内周縁（エッジ部７）の始点側が溶着線ＷＬから反対側の側端縁に向かうに連れて前記一方の端縁側に延びる誘導エッジ部８になるため、図６に示す如く、食品Ｂを収容する際、一対のフィルム壁２，３の他方の端部同士の離間に伴って作用する力Ｆが誘導エッジ部８に沿って作用することになる。すなわち、一対のフィルム壁２，３を離間させることによる引っ張り力Ｆが誘導エッジ部８に沿うように誘導されることになる。これにより、上記構成の食品用包装袋１は、一対のフィルム壁２，３を離間させることによる引っ張り力Ｆを分散させることができ、溶着線ＷＬに沿って食品用包装袋１が大きく裂けることを防止することができる。
【００５３】
この場合においても、何れか一方のフィルム壁２に穴Ｈをあけてエッジ部７を形成するようにしてもよいが、切り込みＳでエッジ部７を形成する場合と同様、引っ張り力を確実に逃がす（分散させる）には、上記実施形態と同様に溶着線ＷＬの両側（一対のフィルム壁２，３のそれぞれ）にエッジ部７，７を形成することが好ましい。
【００５４】
また、図７に示す如く、他方の端縁が他方のフィルム壁３の他方の端縁から外側に延出するように一方のフィルム壁２を形成し、他方のフィルム壁３の他方の端縁を波形状又は鋸刃状に形成して該端縁でエッジ部７を構成してもよい。このようにすれば、他方のフィルム壁３の他方の端縁における両側端部に溶着線ＷＬから一端縁側に向けて延びる誘導エッジ部８を形成することができるため、食品Ｂを収容する際に溶着線ＷＬに沿って大きく裂けてしまうことを防止することができる。
【００５５】
上記実施形態において、食品Ｂ用包装袋１を製袋するに際し、長尺フィルムＦを二つ折りにした後に稜線の両側を外側に折り返すようにしてフィルム壁２になる部分Ｆ１，Ｆ２とガゼット部６になる部分Ｆ３を形成するようにしたが、これに限定されるものではなく、例えば、長尺フィルムＦを短手方向に二つ折りにした後、その二つ折りによって形成される稜線の両側にある所定幅を反対側に折り込んでガゼット部６となる部分Ｆ３を形成するようにしてもよい。すなわち、フィルム壁２になる部分とガゼット部６になる部分とを形成することができれば、長尺フィルムＦの曲げ加工（工程）は適宜変更可能である。
【００５６】
また、上記実施形態において、長尺フィルムＦを曲げ加工するとともに、その曲げ加工した長尺フィルムＦを所定サイズに溶断することで、両側端縁同士が溶着した状態の一対のフィルム壁２，３を形成するようにしたが、これに限定されるものではなく、重ね合わせた二枚のフィルムの両側端縁同士をヒートシールで線状に溶着するようにしてもよい。
【００５７】
また、上記実施形態において、ガゼット部６を介してフィルム壁２の一方の端部同士を接続するようにしたが、これに限定されるものではなく、例えば、フィルム壁２の一方の端部同士を直接溶着するようにしてもよい。すなわち、フィルム壁２の他方の端縁側から食品Ｂを収容できれば、フィルム壁２の一方の端部同士の接続形態は適宜選択可能である。
【００５８】
上記実施形態において、フィルム壁２の両側端縁同士を線状に溶着するようにしたが、これに限定されるものではなく、例えば、稜線を形成するようにフィルムを二つ折りにした上で、折り返しによって対向する端縁同士を線状に溶着し、その稜線及び線状に溶着した端縁をフィルム壁２の両側端縁になるように製袋してもよい。この場合、一対のフィルム壁２，３は、一方の側端縁同士だけが線状に溶着されるため、その溶着によって形成される溶着線ＷＬ上に始点のあるエッジ部７を形成すればよい。
【００５９】
上記実施形態において、他方のフィルム壁３の他方の端部に穴４及び切断補助線５を設けるようにしたが、これに限定されるものではなく、例えば、図８に示す如く、他方のフィルム壁３の他方の端部にフック等を挿通する穴４ａを設けるとともに、一方のフィルム壁２に対して他方のフィルム壁３の他方の端縁近傍で両側端縁間に延びる切断補助線５ａを設け、包装時（取り出し時）に他方のフィルム壁３を切断補助線５ａで切断し、穴４ａの設けられた部分を切除できるようにしてもよい。
【００６０】
また、上記実施形態において、一方のフィルム壁２の他方の端部が他方のフィルム壁３の他方の端縁から外側に延出するよう両フィルム壁２，３のサイズを設定したが、これに限定されるものではなく、一対のフィルム壁２，３を同サイズに設定しても勿論よい。従って、フック等を挿通するための穴４，４ａは必須の構成ではなく、一方のフィルム壁２の他方の端部を他方のフィルム壁３の他方の端縁よりも外側に延出させたときに、必要に応じて設ければよい。
【符号の説明】
【００６１】
１…食品用包装袋、２，３…フィルム壁、４…穴、５…切断補助線、６…ガゼット部、６ａ…第一延出部、６ｂ…第二延出部、７…エッジ部、８…誘導エッジ部、Ｂ…食パン（食品）、Ｆ…長尺フィルム、Ｆ１，Ｆ２…フィルム壁となる部分、Ｆ３…ガゼット部となる部分、ＷＬ…溶着線、Ｃ…結束手段
【図１】
2010254328.tif 000003
【図２】
2010254328.tif 000004
【図３】
2010254328.tif 000005
【図４】
2010254328.tif 000006
【図５】
2010254328.tif 000007
【図６】
2010254328.tif 000008
【図７】
2010254328.tif 000009
【図８】
2010254328.tif 000010
【図９】
2010254328.tif 000011
【図１０】
2010254328.tif 000012
【図１１】
2010254328.tif 000013